(57)【要約】      （修正有）【課題】マット上での跳躍運動や動作に応じて知覚情報を得ることができるトランポリンを提供する。【解決手段】枠体１１内のマット１２を弾性的に上下動させるようにしたトランポリンにおいて、マットの動きを感知して感知信号を出力するセンサ２１ａと、遊戯者に知覚可能な知覚信号を発する報知部２１ｂとを備え、センサの感知信号に応じて報知部が知覚信号を発するようにした。センサは、マットの周縁側と枠体との間に架設された弾性部材に装着された振動センサであり、報知部は、知覚信号として光を発するか、又は／及び音を発することを特徴とする。【選択図】図１
0003221921.tif 000002
【実用新案登録請求の範囲】
【請求項１】
枠体内のマットを弾性的に上下動させるようにしたトランポリンにおいて、
前記マットの動きを感知してその感知信号を出力するセンサと、遊戯者に知覚可能な知覚信号を発する報知部とを備え、前記センサの感知信号に応じて前記報知部が前記知覚信号を発するようにしたことを特徴とするトランポリン。
【請求項２】
前記マットの周縁側と前記枠体との間に架設されて前記マットを弾性的に上下動するように支持する弾性部材を備え、
前記センサが前記弾性部材に装着されていることを特徴とする請求項１記載のトランポリン。
【請求項３】
前記センサ及び前記報知部が帯状のバンド部に固定され、前記バンド部が前記弾性部材に着脱可能に巻き付けられていることを特徴とする請求項１又は２記載のトランポリン。
【請求項４】
前記センサが、物体の振動を感知した際に感知信号を出力する振動センサであることを特徴とする請求項１〜３何れか１項記載のトランポリン。
【請求項５】
前記報知部が、前記知覚信号として光を発することを特徴とする請求項１〜４何れか１項記載のトランポリン。
【請求項６】
前記報知部が、前記知覚信号として音を発することを特徴とする請求項１〜５何れか１項記載のトランポリン。
【請求項７】
前記枠体の周囲に、当該トランポリンに関する画像を出力するディスプレイ装置を設けたことを特徴とする請求項１〜６何れか１項記載のトランポリン。
【考案の詳細な説明】
【技術分野】
【０００１】
本考案は、跳躍運動や、トランポリンエクササイズ、忍者動作の練習等に用いられるトランポリンに関するものである。
【背景技術】
【０００２】
従来、この種の発明には、例えば特許文献１に記載されるように、ユーザの運動に供されるベッドシート（マット）と該ベッドシートを囲繞する支持フレームの間に環状空間を形成し、該環状空間の周方向に間隔をあけて配置された多数のスプリングにより、ベッドシートの周縁部に列設された取着部と支持フレームを相互に連結して成るトランポリンがある。
このようなトランポリンは、遊戯者がベッドシート及び弾性支持手段の弾性を利用して跳躍運動やトランポリンエクササイズをするのに利用される。
さらに、前記トランポリンは、足場の悪い不安定な面を人工的に形成するため、忍者マニア等が、忍者に模した動作の練習や忍者修行に用いるのにも好適である。
【先行技術文献】
【特許文献】
【０００３】
【特許文献１】特開２０１８−１１７７７４号公報
【考案の概要】
【考案が解決しようとする課題】
【０００４】
ところで、前記のような様々な動作は、ある程度の時間、繰り返し練習して、ようやく習得できるものである。
しかしながら、上記従来のトランポリンによれば、運動や動作に応じた知覚情報が少ないため、遊戯者が練習に飽きてしまい、モチベーションを喪失させてしまうおそれがある。
【課題を解決するための手段】
【０００５】
このような課題に鑑みて、本考案は、以下の構成を具備するものである。
枠体内のマットを弾性的に上下動させるようにしたトランポリンにおいて、前記マットの動きを感知してその感知信号を出力するセンサと、遊戯者に知覚可能な知覚信号を発する報知部とを備え、前記センサの感知信号に応じて前記報知部が前記知覚信号を発するようにしたことを特徴とするトランポリン。
【考案の効果】
【０００６】
本考案は、以上説明したように構成されているので、マット上での跳躍運動や動作に応じて知覚情報を得ることができ、ひいては遊戯者のモチベーションの向上を図ることができる。
【図面の簡単な説明】
【０００７】
【図１】本考案に係るトランポリンの一例を示す斜視図である。
【図２】同トランポリンにおける報知ユニットの取付け部分を示す断面図である。
【考案を実施するための形態】
【０００８】
本実施の形態では、以下の特徴を開示している。
第一の特徴は、枠体内のマットを弾性的に上下動させるようにしたトランポリンにおいて、前記マットの動きを感知してその感知信号を出力するセンサと、遊戯者に知覚可能な知覚信号を発する報知部とを備え、前記センサの感知信号に応じて前記報知部が前記知覚信号を発するようにした（図１及び図２参照）。
ここで、前記センサには、前記マットの動きを振動として感知する振動センサや、前記マットの動きをその変位量によって感知するセンサ等を含む。
また、前記知覚信号には、光や、音、バイブレーション等を含む。
【０００９】
第二の特徴は、前記マットの周縁側と前記枠体との間に架設されて前記マットを弾性的に上下動するように支持する弾性部材を備え、前記センサが前記弾性部材に装着されている（図１及び図２参照）。
【００１０】
第三の特徴は、前記センサ及び前記報知部が帯状のバンド部に固定され、前記バンド部が前記弾性部材に着脱可能に巻き付けられている（図２参照）。
【００１１】
第四の特徴は、前記センサが、物体の振動を感知した際に感知信号を出力する振動センサである。
【００１２】
第五の特徴は、前記報知部が、前記知覚信号として光を発する。
【００１３】
第六の特徴は、前記報知部が、前記知覚信号として音を発する。
【００１４】
第七の特徴は、前記枠体の周囲に、当該トランポリンに関する画像を出力するディスプレイ装置を設けた（図１参照）。
【００１５】
＜具体的実施態様＞
次に、上記特徴を有する具体的な実施態様について、図面に基づいて詳細に説明する。
このトランポリンは、図１に示すように、枠体１１内のマット１２を弾性的に上下動させるようにしたトランポリン本体１０と、複数の報知ユニット２０と、ディスプレイ装置３０とを具備し、報知ユニット２０が、マット１２の動きに伴って、遊戯者に知覚可能な知覚信号を発する。
【００１６】
トランポリン本体１０は、環状の枠体１１と、枠体１１の内側に設けられたマット１２と、マット１２の周縁側と枠体１１との間に架設されてマット１２を弾性的に上下動するように支持する複数の弾性部材１３とを具備する。
【００１７】
枠体１１は、適度な強度を有する硬質材料（例えば金属製のパイプ材等）により無端輪状に形成される。
この枠体１１は、多角形（図示例によれば正八角形）の枠状に形成されるが、円形や、他の無端輪状とすることが可能である。
【００１８】
この枠体１１の下部側には、周方向に間隔を置いて複数の脚部１４が固定される。脚部１４は、縦長の棒状部材であり、その上端部を枠体１１に接続し、下端部を床面等に載置する。脚部１４の下端には、衝撃吸収用のゴムキャップ１４ａが装着される。
【００１９】
マット１２は、枠体１１を一回りほど小さくした外縁部を有する可撓性のシートであり、遊戯者の重量により破損することのないように適宜な強度を有している。
【００２０】
弾性部材１３は、枠体１１の周方向に間隔を置いて複数配設される。
各弾性部材１３は、一本のゴム紐を二つ折にして枠体１１に掛けるとともに、二つの端部をマット１２の周縁部に接続している。この弾性部材１３は、枠体１１とマット１２の間に装着される。
なお、弾性部材１３の他例としては、コイルスプリングや、他の弾性材を用いることも可能である。
【００２１】
報知ユニット２０は、センサ２１ａ及び報知部２１ｂを有するユニット本体２１と、このユニット本体２１が固定される帯状のバンド部２２とから構成される。
【００２２】
ユニット本体２１は、図２に示すように、マット１２の動きに伴って信号出力をするセンサ２１ａと、遊戯者に知覚可能な知覚信号を発する複数の報知部２１ｂと、これらセンサ２１ａ及び報知部２１ｂを制御する制御回路基板２１ｃとを、ケース２１ｄに接続し一体化している。
【００２３】
センサ２１ａは、物体の振動を感知した際に感知信号を出力する振動センサであり、マット１２の動きに伴う弾性部材１３の振動を感知するように用いられる。
このセンサ２１ａは、例えば、圧電素子を用いた加速度検出型の振動センサや、速度検出型の振動センサ、変位検出型の振動センサ等、振動を感知してその感知信号を出力するものであればよい。
なお、センサ２１ａの他例としては、マット１２の動きを接触又は非接触で感知するリミットスイッチや光電センサ等を用いた構成とすることも可能である。
【００２４】
報知部２１ｂは、遊戯者に知覚可能な知覚信号として光を発する発光体である。この報知部２１ｂには、例えば、発光ダイオード（ＬＥＤ）等を用いることができる。
この報知部２１ｂは、図示例によれば、一つのセンサ２１ａに対し二つ設けるようにしているが、単数または三以上とすることも可能である。
なお、報知部２１ｂの他例としては、前記知覚信号として、スピーカによって音を発する態様や、スピーカーと発光体によって音と光の両方を発する態様等とすることも可能である。さらに、他例としては、光を発する報知部２１ｂと、この報知部２１ｂとは別体の音を発する報知部との二種類の報知部を具備した態様とすることも可能である。
【００２５】
制御回路基板２１ｃは、センサ２１ａから出力される感知信号を受けた場合に、報知部２１ｂを動作させて知覚信号の出力を行い、前記感知信号を受けなくなった場合に、前記知覚信号の出力を停止する。
この制御回路基板２１ｃは、例えば、ワンチップマイコンやその他の制御回路用電子部品等を適宜に用いて構成すればよい。
【００２６】
ケース２１ｄは、硬質材料から板状や箱状等に形成され、センサ２１ａ、報知部２１ｂ及び制御回路基板２１ｃを一体的に保持している。
このケース２１ｄの他例としては、例えばキャラクタや動植物等を模した形状等、適宜にデザインされた形状としてもよい。
【００２７】
また、バンド部２２は、バンド本体部２２ａと、このバンド本体部２２ａの一端側と他端側とを着脱可能に接続する着脱部２２ｂとから構成される。
【００２８】
バンド本体部２２ａは、布や合成樹脂製シート等の可撓性シート材を長尺帯状に形成してなる。このバンド本体部２２ａは、枠体１１の周方向に隣接する二か所の弾性部材１３，１３に環状に巻かれて、端部同士を重ね合わせ可能な程度の長さに形成される（図２参照）。
このバンド本体部２２ａの長手方向の中央側には、環状に巻かれた際に外側となる面に、上記ユニット本体２１が固定される。この固定手段は、例えば、接着剤を用いた接着とすればよい。
【００２９】
着脱部２２ｂは、多数のフック状繊維を多数のループ状繊維に係脱するようにした面ファスナーであり、その一片部がバンド本体部２２ａの一端側に止着され、前記一片部に対し着脱可能な他片部が、同バンド本体部２２ａの他端側に止着される。
この着脱部２２ｂの他例としては、ホックやボタン、バックル、磁石等を用いた態様とすることも可能である。さらに着脱部２２ｂの他例としては、紐で結わいたり解いたりする態様とすることも可能である。
【００３０】
上記構成の報知ユニット２０は、バンド本体部２２ａを周方向に隣接する弾性部材１３に巻き付け、このバンド本体部２２ａの端部同士を着脱部２２ｂにより接続することで、弾性部材１３に一体的に取り付けられる。
図１に示す一例によれば、報知ユニット２０は、四方にそれぞれ位置するように、周方向に間隔を置いて４つ装着される。
【００３１】
また、ディスプレイ装置３０は、トランポリン本体１０の周囲に設置され、例えば、トランポリンの使用方法や、模範演技動画等、トランポリンに関する画像出力をする。
【００３２】
次に、上記構成のトランポリンについて、その特徴的な作用効果を詳細に説明する。
遊戯者等が、マット１２上で、跳躍運動や、トランポリンエクササイズ、忍者を模した動作練習等をした際、マット１２が上下動し、このマット１２の上下動に伴う振動が、周囲の弾性部材１３に伝達され、さらには報知ユニット２０に伝達される。
報知ユニット２０は、前記振動をセンサ２１ａにより感知し、その感知信号に応じて、報知部２１ｂによる知覚信号（光）を発する。すなわち、マット１２の上下動に伴い弾性部材１３が振動すれば、その振動に伴って報知部２１ｂが発光し、前記振動が停止すれば、報知部２１ｂによる発光も停止する。
【００３３】
したがって、例えば、マット１２上で、遊戯者が足を前後に拡げると、前後両側の報知部２１ｂ（発光体）のみを発光させることができる。また、遊戯者が足を左右に拡げると、左右両側の報知部２１ｂのみを発光させることができる。また、足を前後左右に機敏に動かせば、全ての報知部２１ｂを光らせることができ、その動作を停止すれば、全ての報知部２１ｂを消灯することができる。また、跳び方の工夫や着地位置の工夫によっても、一部又は全部の報知部２１ｂを発光させたり消灯したりすることができる。
また、遊戯者は、前記のような複雑な動作を、ディスプレイ装置３０による模範演技を見ながら行うことができる。
【００３４】
よって、上記構成のトランポリンによれば、マット上での動作や跳躍運動に応じてバラエティーに富んだ知覚情報を得ることができる上、マット１２への着地位置や着地強弱の調整にも役立ち、ひいては遊戯者のモチベーションの向上を図ることができる。また、足場の悪い場所で機敏に動く忍者の動作練習を効果的に行うことができる。
【００３５】
なお、上記実施の形態では、特に好ましい一例として、センサ２１ａと報知部２１ｂを一体的に設けたが、他例としては、これらを別体として、トランポリン本体１０にセンサ２１ａのみを設け、トランポリン本体１０以外の部分に報知部２１ｂを設けた態様とすることも可能である。
【００３６】
また、上記実施の形態では、特に好ましい一例として、マット１２の動きを弾性部材１３に設けたセンサ２１ａにより感知するようにしたが、他例としては、マット１２に対し、直接、センサ２１ａを設けることも可能である。
【００３７】
また、本考案は上述した実施態様に限定されず、本考案の要旨を変更しない範囲で適宜変更可能である。
【符号の説明】
【００３８】
１０：トランポリン本体
１１：枠体
１２：マット
１３：弾性部材
２０：報知ユニット
２１：ユニット本体
２１ａ：センサ
２１ｂ：報知部
２１ｃ：制御回路基板
２１ｄ：ケース
２２：バンド部
２２ｂ：着脱部
【図１】
0003221921.tif 000003
【図２】
0003221921.tif 000004